(57)【要約】【課題】安定した撮影を行うとともに、ピンボケを回避する。【解決手段】自動焦点調整機能を有する自動焦点カメラ（１）と、固定焦点を有する固定焦点カメラ（２）とを備える電子機器（１０）の制御装置（３）は、被写体と電子機器（１０）との間の撮影距離を特定する距離特定部（３１）と、特定された上記撮影距離に応じて、自動焦点カメラ（１）および固定焦点カメラ（２）の何れの装置を用いて撮影を行うかを決定する撮影装置決定部（３２）とを備える。【選択図】図１
2019203929.tif 000002
【特許請求の範囲】
【請求項１】
自動焦点調整機能を有する少なくとも１つの第１撮影装置と、固定焦点を有する少なくとも１つの第２撮影装置と、少なくとも１つの制御装置とを備えた電子機器であって、
上記制御装置は、
被写体と上記電子機器との間の撮影距離を特定する処理と、
特定された上記撮影距離に応じて、上記第１撮影装置および上記第２撮影装置の何れの装置を用いて撮影を行うかを決定する処理とを実行することを特徴とする電子機器。
【請求項２】
上記制御装置は、
上記第２撮影装置のレンズから撮像素子に入る光の経路を第１経路および第２経路の２つの経路に瞳分割するとき、上記第１経路の光が上記撮像素子において結像する位置と、上記第２経路の光が上記撮像素子において結像する位置とのズレ量の大きさを用いて上記撮影距離を特定することを特徴とする請求項１に記載の電子機器。
【請求項３】
上記電子機器は、さらに少なくとも１つの測距センサを備え、
上記制御装置は、上記測距センサの検出結果を用いて上記撮影距離を特定することを特徴とする請求項１に記載の電子機器。
【請求項４】
上記制御装置は、上記第１撮影装置が被写体にピントを合わせている場合における当該第１撮影装置が備えるレンズの位置情報を用いて上記撮影距離を特定することを特徴とする請求項１に記載の電子機器。
【請求項５】
上記第２撮影装置からピント位置までの距離が、過焦点距離に設定されていることを特徴とする請求項１から４までの何れか１項に記載の電子機器。
【請求項６】
自動焦点調整機能を有する少なくとも１つの第１撮影装置と、固定焦点を有する少なくとも１つの第２撮影装置とを備える電子機器の制御装置であって、
被写体と上記電子機器との間の撮影距離を特定する距離特定部と、
特定された上記撮影距離に応じて、上記第１撮影装置および上記第２撮影装置の何れの装置を用いて撮影を行うかを決定する撮影装置決定部とを備えることを特徴とする制御装置。
【請求項７】
請求項６に記載の制御装置としてコンピュータを機能させるための制御プログラムであって、上記距離特定部および上記撮影装置決定部としてコンピュータを機能させるための制御プログラム。
【請求項８】
自動焦点調整機能を有する少なくとも１つの第１撮影装置と、固定焦点を有する少なくとも１つの第２撮影装置とを備える電子機器の制御方法であって、
被写体と上記電子機器との間の撮影距離を特定する距離特定ステップと、
特定された上記撮影距離に応じて、上記第１撮影装置および上記第２撮影装置の何れの装置を用いて撮影を行うかを決定する撮影装置決定ステップとを含むことを特徴とする制御方法。
【発明の詳細な説明】
【技術分野】
【０００１】
本発明は、電子機器、電子機器の制御装置、制御プログラムおよび制御方法に関する。
【背景技術】
【０００２】
特許文献１には、ＡＦ（Auto Focus）撮影とＡＦを行わない固定焦点撮影とを適切に使い分け、ＡＦ撮影を行うのを必要最小限にすることにより、レリーズタイムラグの短縮を図り、快適な撮影を行うことを可能とするデジタルカメラが開示されている。このデジタルカメラは、撮影焦点距離によって、固定焦点撮影と、ＡＦ撮影とを使い分けるようになっている。
【先行技術文献】
【特許文献】
【０００３】
【特許文献１】特開２００３−１０１８５３号公報（２００３年４月４日公開）
【発明の概要】
【発明が解決しようとする課題】
【０００４】
しかしながら、上記従来技術のデジタルカメラでは、固定焦点撮影の際にはレンズが固定されるものの、自動焦点カメラを用いて固定焦点撮影を行うようになっているため、レンズを完全に固定することが難しく、デジタルカメラの振動等でレンズの位置がぶれてしまうという問題がある。
【０００５】
また、レンズは重力の影響を受けるため、デジタルカメラの姿勢(上向き、水平向き、または下向き)によってもレンズの位置が変わってしまうという問題もある。このため、上記従来技術のデジタルカメラでは安定した撮影が難しいという問題点がある。また、上記従来技術では、近距離を撮影する場合(１．２ｍより近い場合)、ピンボケが発生してしまう懸念があるが、この懸念については何の対応策も取られていない。
【０００６】
本発明の一態様は、以上の問題点に鑑みて為されたものであり、その目的は、安定した撮影を行うとともに、ピンボケを回避することができる電子機器などを実現することにある。
【課題を解決するための手段】
【０００７】
上記の課題を解決するために、本発明の一態様に係る電子機器は、自動焦点調整機能を有する少なくとも１つの第１撮影装置と、固定焦点を有する少なくとも１つの第２撮影装置と、少なくとも１つの制御装置とを備えた電子機器であって、上記制御装置は、被写体と上記電子機器との間の撮影距離を特定する処理と、特定された上記撮影距離に応じて、上記第１撮影装置および上記第２撮影装置の何れの装置を用いて撮影を行うかを決定する処理とを実行する構成である。
【０００８】
上記の課題を解決するために、本発明の一態様に係る電子機器の制御装置は、自動焦点調整機能を有する少なくとも１つの第１撮影装置と、固定焦点を有する少なくとも１つの第２撮影装置とを備える電子機器の制御装置であって、被写体と上記電子機器との間の撮影距離を特定する距離特定部と、特定された上記撮影距離に応じて、上記第１撮影装置および上記第２撮影装置の何れの装置を用いて撮影を行うかを決定する撮影装置決定部とを備える構成である。
【発明の効果】
【０００９】
本発明の一態様によれば、安定した撮影を行うとともに、ピンボケを回避することができるという効果を奏する。
【図面の簡単な説明】
【００１０】
【図１】本発明の実施の一形態に係る電子機器の概要構成を示すブロック図である。
【図２】（ａ）は、上記電子機器の表示装置側（表面側）の外観を示す模式図であり、（ｂ）は、上記電子機器の背面側の外観を示す模式図である。
【図３】固定焦点カメラのピント位置と過焦点距離との関係を説明するための模式図である。
【図４】瞳分割位相法の原理について説明するための図である。
【図５】上記電子機器の動作例１に係るフローチャートである。
【図６】上記電子機器の動作例２に係るフローチャートである。
【発明を実施するための形態】
【００１１】
＜＜電子機器の概要構成＞＞
図１に示すように、本発明の一実施形態に係る電子機器１０は、自動焦点カメラ（第１撮影装置）１、固定焦点カメラ（第２撮影装置）２、制御装置３、距離センサ（測距センサ）４、モータードライバ５、選択装置６、ピントズレ検出装置７、画像処理装置８、記憶装置９、表示装置１１および入力受付装置１２を備える。
【００１２】
本実施形態では、自動焦点カメラ１、固定焦点カメラ２および制御装置３のそれぞれが、一つずつ設けられた形態について説明するが、これらの装置のそれぞれを複数設けても良い。また、以下の説明では、電子機器１０がスマートフォンであるものとして説明するが、これに限定されず、自動焦点カメラ１、および固定焦点カメラ２の少なくとも２つのカメラ（撮影装置）を備えた電子機器であれば、どのような電子機器を採用しても良い。例えば、電子機器の例としてデジタルカメラを例示することができる。
【００１３】
自動焦点カメラ１は、いわゆる自動焦点調節機能を有するカメラであり、撮像素子に対するレンズの位置を可変させることで、被写体のピントを合わせる機能を備えている。すなわち、自動焦点カメラ１は、そのレンズを移動させることで、遠方から近距離まで任意の距離でピントを合わせることができる。
【００１４】
しかしながら、自動焦点カメラ１は、常にピントを合わせようと動作する性質上、撮影画像がレンズ移動の影響を受けてしまう。また、一般的にレンズの位置を完全に固定させることは難しく、姿勢差（重力）や振動の影響でレンズの位置がずれてしまう。そのため従来技術のように自動焦点カメラ１を用いて固定焦点撮影を行おうとしても、レンズ移動の影響が残ってしまう。
【００１５】
また、自動焦点カメラ１は、ＶＣＭ（Voice Coil Motor）等、レンズを動かす機構（アクチュエータ）により自動でピント合わせを行うＡＦ用の駆動機構を備えている。この駆動機構の動作は、モータードライバ５によって制御される。
【００１６】
次に、固定焦点カメラ２は、撮像素子に対するレンズの位置が固定されたカメラであり、自動焦点カメラ１のようにレンズの位置を調整するモータなどの駆動機構を有していないため、駆動機構の駆動による振動がない。また、固定焦点カメラ２を用いればレンズが完全に固定されているためレンズ移動に伴う影響を受けず、安定した撮影が可能となる。その一方で、固定焦点カメラ２は、ピントの合う範囲が限られており、その範囲外ではピントが合わない。
【００１７】
図２の（ａ）に電子機器１０の表示装置１１側（表面側）の外観を示す。一方、図２の（ｂ）に電子機器１０の背面側の外観を示す。図２の（ｂ）に示すように、自動焦点カメラ１および固定焦点カメラ２は、共に電子機器１０の背面側（同一の面）に設けられている。
【００１８】
固定焦点カメラ２のピント調整位置（ピント位置）は任意だが、例えば、過焦点距離に設定することで、広い範囲でピントが合うようにすることができる。ここで、図３に基づき、固定焦点カメラ２のピント位置と過焦点距離との関係について説明する。
【００１９】
図３の（ａ）に示すように、固定焦点カメラ２のピント位置を無限遠に合わせたとき、どんなに絞りを絞っても手元までピントが合うわけではない。このとき、電子機器１０の位置からピントが合っているように見える範囲までの距離を過焦点距離という。過焦点距離より手前にある被写体はピンボケしてしまう。過焦点距離の範囲内に写るものがなければ、何も問題はなく、パンフォーカス（全被写体のピントが合う状態）が得られる。しかしながら、過焦点距離より手前側に被写体がある場合には、それらは厳密にはピンボケしてしまう。
【００２０】
次に、図３の（ｂ）に示すように、ピント位置を無限遠から手前に変更すると、無限遠まで被写界深度の中に入れつつ、手前に少し被写界深度を広げることができる。このとき、ピントが合っているように見える範囲の手前側の端までの距離は、ピント位置までの距離の半分となる。さらにピント位置を近づけて、図３の（ｃ）に示すように、ちょうど過焦点距離のところまで持ってきたとき、無限遠までピントを合わせつつ、手前側の被写界深度を最大にすることができる。
【００２１】
また、図３の（ｄ）に示すように、ピント位置をさらに手前に近づけると、無限遠にピントが合わなくなってしまうので、ピント位置を過焦点距離の位置に合わせたとき、ピントが合っているように見える範囲が最大になる。すなわち、固定焦点カメラ２（または電子機器１０）からピント位置までの距離は、過焦点距離に設定されていることが好ましい。これにより、固定焦点カメラ２で撮影する際のピンボケを回避することができる範囲を最大限広くすることができる。
【００２２】
但し、過焦点距離の半分より手前側ではピントが合わないので、この範囲については自動焦点カメラ１に切り替えてやることで任意の撮影距離においてピントが合うようにすることができる。また、固定焦点カメラ２のピント位置を手前側にして、遠距離を自動焦点カメラ１でカバーすることも可能である。
【００２３】
次に、固定焦点カメラ２で合焦するかどうか（ピントが合うかどうか）の判断基準としては以下の例を挙示することができる。例えば、ピントズレ検出装置７にて検出するピントズレの程度を示す値を、所定の閾値と比較する。ピントズレの程度を示す値が上記閾値を超えた場合、固定焦点カメラ２でのピントが合っていないと判定する。
【００２４】
また、自動焦点カメラ１のＡＦを動作させるためのモータードライバ５への入力信号から撮影距離を逆算し、固定焦点カメラ２のピント範囲と比較しても良い。また、距離センサ４から得た撮影距離を固定焦点カメラ２のピント範囲と比較しても良い。
【００２５】
本実施形態に係る電子機器１０は、自動焦点カメラ１および固定焦点カメラ２の２台のカメラを搭載し、使用するカメラを適切に切り替えて撮影を行う。基本的には固定焦点カメラ２で撮影を行い、固定焦点カメラ２でピントが合わない場合には自動焦点カメラ１に切り替えて撮影を継続する。また、自動焦点カメラ１で撮影中に被写体が移動し、固定焦点カメラ２でピントが合うようになったならば固定焦点カメラ２に切り替えてもよい。
【００２６】
すなわち、本実施形態の電子機器１０では、基本的には固定焦点カメラ２で撮影を行うことで安定した撮影を行うとともに、被写体の移動に応じて自動的に自動焦点カメラ１へと切り替えることでピンボケになることなく撮影を継続できる。
【００２７】
制御装置３は、電子機器１０の各構成要素を統括的に制御するものであり、例えば、ＣＰＵ（Central Processing Unit）で構成される。図１に示すように、制御装置３は、距離特定部３１および撮影装置決定部３２を備える。
【００２８】
距離特定部３１は、被写体と電子機器１０との間の撮影距離を特定する。例えば、距離特定部３１は、モータードライバ５を介して自動焦点カメラ１のレンズの位置を監視し、このレンズの位置情報から、上記撮影距離を逆算（特定）しても良い。例えば、距離特定部３１は、自動焦点カメラ１が被写体にピントを合わせている場合における自動焦点カメラ１が備えるレンズの位置情報を用いて上記撮影距離を特定する。
【００２９】
また、距離特定部３１は、固定焦点カメラ２のレンズから撮像素子に入る光の経路を第１経路および第２経路の２つの経路に瞳分割するとき、上記第１経路の光が撮像素子において結像する位置と、上記第２経路の光が撮像素子において結像する位置とのズレ量の大きさを用いて上記撮影距離を特定しても良い。
【００３０】
例えば、図４の（ａ）および（ｂ）に示すように瞳分割した２つの経路において、被写体と電子機器２０との間の撮影距離に応じて、レンズ１３を介して撮像素子１４に結像する位置のズレ量が変化する。このため、上記第１経路の光が撮像素子１４において結像する位置と、上記第２経路の光が撮像素子１４において結像する位置とのズレ量を利用して撮影距離を特定することができる。
【００３１】
また、距離特定部３１は、距離センサ（測距センサ）４の検出結果を用いて、被写体と電子機器１０との間の撮影距離を直接特定しても良い。なお、本実施形態では、電子機器１０が、距離センサ４を一つ備えるものとして説明するが、電子機器１０は、距離センサ４を複数備えていても良い。
【００３２】
次に、撮影装置決定部３２は、特定された上記撮影距離に応じて、自動焦点カメラ１、および固定焦点カメラ２の何れの装置を用いて撮影を行うかを決定する。また、選択装置６は、撮影装置決定部３２が決定した撮影装置に応じて、自動焦点カメラ１および固定焦点カメラ２のうち動作させる撮影装置を選択する（切り替える）。
【００３３】
画像処理装置８は、自動焦点カメラ１または固定焦点カメラ２で撮影した撮影画像について画像処理を行う。画像処理装置８は、画像処理装置８で画像処理を行った画像データを記憶装置９に保存する。また、画像処理装置８は、自動焦点カメラ１または固定焦点カメラ２で撮影した撮影画像を表示装置１１にプレビュー表示させる。入力受付装置１２は、ユーザの入力操作による指示を受付け、当該指示に基づいて、電子機器１０に上記指示に対応する動作を実行させる。
【００３４】
上記構成によれば、固定焦点カメラ２は、固定焦点を有する撮影装置であり、レンズが完全に固定されているため、固定焦点カメラ２で撮影を行えば、レンズの移動に伴う影響を受けず、安定した撮影が可能となる。
【００３５】
ここで、固定焦点カメラ２は、固定焦点であるため、ピントの合う範囲が限られており、その範囲外ではピントが合わず、ピンボケが発生する可能性がある。しかしながら、上記構成では、撮影距離に応じて、自動焦点カメラ１および固定焦点カメラ２の何れの装置を用いて撮影を行うかを決定する。このため、固定焦点カメラ２の撮影でピンボケが発生する可能性がある場合に、自動焦点調整機能を有する自動焦点カメラ１に切り替えることにより、ピンボケを回避することができる。以上により、安定した撮影を行うとともに、ピンボケを回避することができる。
【００３６】
＜＜電子機器の動作例１＞＞
次に、図５に示すフローチャートに基づき、電子機器１０の動作の流れについて説明する。ステップＳ（以下、「ステップ」は省略する）１０１では、制御装置３が自動焦点カメラ１および固定焦点カメラ２の両方を起動してＳ１０２に進む。
【００３７】
Ｓ１０２では、距離特定部３１が、被写体と電子機器１０との間の撮影距離を特定する（距離特定ステップ）。次に、制御装置３が、距離特定部３１が特定した撮影距離に応じて、固定焦点カメラ２で合焦するか否かを判定する。この結果、固定焦点カメラ２で合焦すると判定された場合（Ｙｅｓ）は、Ｓ１０３に進む。一方、固定焦点カメラ２で合焦しないと判定された場合（Ｎｏ）は、Ｓ１０５に進む。
【００３８】
Ｓ１０３では、撮影装置決定部３２は、固定焦点カメラ２で撮影を行うと決定し（撮影装置決定ステップ）、選択装置６は撮影を行う装置として固定焦点カメラ２を選択し、固定焦点カメラ２で撮影を行い、Ｓ１０４に進む。
【００３９】
Ｓ１０４では、距離特定部３１が、被写体と電子機器１０との間の撮影距離を特定する（距離特定ステップ）。次に、制御装置３が、距離特定部３１が特定した撮影距離に応じて、固定焦点カメラ２で合焦するか否かを判定する。この結果、固定焦点カメラ２で合焦すると判定された場合（Ｙｅｓ）は、Ｓ１０４に戻る。一方、固定焦点カメラ２で合焦しないと判定された場合（Ｎｏ）は、Ｓ１０５に進む。
【００４０】
Ｓ１０５では、撮影装置決定部３２は、自動焦点カメラ１で撮影を行うと決定し（撮影装置決定ステップ）、選択装置６は撮影を行う装置として自動焦点カメラ１を選択し、自動焦点カメラ１で撮影を行い、Ｓ１０６に進む。
【００４１】
Ｓ１０６では、距離特定部３１が、被写体と電子機器１０との間の撮影距離を特定する（距離特定ステップ）。次に、制御装置３が、距離特定部３１が特定した撮影距離に応じて、固定焦点カメラ２で合焦するか否かを判定する。この結果、固定焦点カメラ２で合焦すると判定された場合（Ｙｅｓ）は、Ｓ１０４に戻る。一方、固定焦点カメラ２で合焦しないと判定された場合（Ｎｏ）は、Ｓ１０６に戻る。
【００４２】
なお、上記フローチャート内の任意のタイミングで撮影終了（ｅｎｄ）を選択することができる。また、上記のフローでは、自動焦点カメラ１および固定焦点カメラ２の２つのカメラを同時に起動しておくことで、カメラの切り替えに対する応答が早くなる。
【００４３】
＜＜電子機器の動作例２＞＞
次に、図６に示すフローチャートに基づき、電子機器１０の別の動作の流れについて説明する。本動作例では、上述した動作例１のフローと異なり、使用しないカメラの電源をオフにすることで消費電力を低減する。但し、カメラの電源オンにかかる時間を考慮して、カメラを切り替える前にもう片方のカメラの電源を入れる制御が必要となる（後述するＳ２０３、Ｓ２０６を参照）。また、本動作例では、撮影に用いているカメラを用いて（あるいはカメラとは別の距離センサ４等を用いて）固定焦点カメラ２で合焦するかを調べる。
【００４４】
また、固定焦点カメラ２から自動焦点カメラ１に切り替える際にはそのときの撮影距離に合焦するようにあらかじめ自動焦点カメラ１のピント調整を行うことで、カメラの切り替えを行った瞬間から合焦した状態で撮影が可能となる。
【００４５】
Ｓ２０１では、撮影装置決定部３２が選択装置６を介して固定焦点カメラ２を選択し、制御装置３が自動焦点カメラ１の電源をオフにし、Ｓ２０２に進む。Ｓ２０２では、制御装置３が固定焦点カメラ２による撮影が完了したかどうかを確認する。この結果、撮影が完了した場合は、動作終了（ｅｎｄ）となる。一方、撮影が完了していない場合は、Ｓ２０３に進む。
【００４６】
Ｓ２０３では、距離特定部３１が、被写体と電子機器１０との間の撮影距離を特定する（距離特定ステップ）。次に、制御装置３が、距離特定部３１が特定した撮影距離に応じて、固定焦点カメラ２で合焦するか否かを判定する。この結果、固定焦点カメラ２で合焦すると判定された場合（Ｙｅｓ）は、Ｓ２０２に戻る。一方、固定焦点カメラ２で合焦しないと判定された場合（Ｎｏ）は、Ｓ２０４に進む。
【００４７】
Ｓ２０４では、撮影装置決定部３２が選択装置６を介して自動焦点カメラ１を選択し（撮影装置決定ステップ）、固定焦点カメラ２の電源をオフにし、Ｓ２０５に進む。Ｓ２０５では、制御装置３が自動焦点カメラ１による撮影が完了したかどうかを確認する。この結果、撮影が完了した場合は、動作終了（ｅｎｄ）となる。一方、撮影が完了していない場合は、Ｓ２０６に進む。
【００４８】
Ｓ２０６では、距離特定部３１が、被写体と電子機器１０との間の撮影距離を特定する（距離特定ステップ）。次に、制御装置３が、距離特定部３１が特定した撮影距離に応じて、固定焦点カメラ２で合焦するか否かを判定する。この結果、固定焦点カメラ２で合焦すると判定された場合（Ｙｅｓ）は、Ｓ２０１に戻る。一方、固定焦点カメラ２で合焦しないと判定された場合（Ｎｏ）は、Ｓ２０５に戻る。
【００４９】
〔ソフトウェアによる実現例〕
電子機器１０における制御装置３の制御ブロック（特に距離特定部３１および撮影装置決定部３２）は、集積回路（ＩＣチップ）等に形成された論理回路（ハードウェア）によって実現してもよいし、ソフトウェアによって実現してもよい。
【００５０】
後者の場合、制御装置３は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵを用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５１】
〔まとめ〕
本発明の態様１に係る電子機器（１０）は、自動焦点調整機能を有する少なくとも１つの第１撮影装置（自動焦点カメラ１）と、固定焦点を有する少なくとも１つの第２撮影装置（固定焦点カメラ２）と、少なくとも１つの制御装置（３）とを備えた電子機器であって、上記制御装置は、被写体と上記電子機器との間の撮影距離を特定する処理と、特定された上記撮影距離に応じて、上記第１撮影装置および上記第２撮影装置の何れの装置を用いて撮影を行うかを決定する処理とを実行する構成である。
【００５２】
上記構成によれば、第２撮影装置は、固定焦点を有する撮影装置であり、レンズが完全に固定されているため、第２撮影装置で撮影を行えば、レンズの移動に伴う影響を受けず、安定した撮影が可能となる。
【００５３】
ここで、第２撮影装置は、固定焦点であるため、ピントの合う範囲が限られており、その範囲外ではピントが合わず、ピンボケが発生する可能性がある。しかしながら、上記構成では、撮影距離に応じて、第１撮影装置および第２撮影装置の何れの装置を用いて撮影を行うかを決定する。このため、第２撮影装置の撮影でピンボケが発生する可能性がある場合に、自動焦点調整機能を有する第１撮影装置に切り替えることにより、ピンボケを回避することができる。以上により、安定した撮影を行うとともに、ピンボケを回避することができる。
【００５４】
本発明の態様２に係る電子機器は、上記態様１において、上記制御装置は、上記第２撮影装置のレンズから撮像素子に入る光の経路を第１経路および第２経路の２つの経路に瞳分割するとき、上記第１経路の光が上記撮像素子において結像する位置と、上記第２経路の光が上記撮像素子において結像する位置とのズレ量の大きさを用いて上記撮影距離を特定しても良い。上記構成によれば、第１経路の光が撮像素子において結像する位置と、第２経路の光が撮像素子において結像する位置とのズレ量の大きさを用いて撮影距離を特定することができる。
【００５５】
本発明の態様３に係る電子機器は、上記態様１において、上記電子機器は、さらに少なくとも１つの測距センサを備え、上記制御装置は、上記測距センサの検出結果を用いて上記撮影距離を特定しても良い。上記構成によれば、測距センサの検出結果を用いて撮影距離を特定することができる。
【００５６】
本発明の態様４に係る電子機器は、上記態様１において、上記制御装置は、上記第１撮影装置が被写体にピントを合わせている場合における当該第１撮影装置が備えるレンズの位置情報を用いて上記撮影距離を特定しても良い。上記構成によれば、第１撮像装置が被写体にピントを合わせている場合における第１撮影装置が備えるレンズの位置情報を用いて撮影距離を特定することができる。
【００５７】
本発明の態様５に係る電子機器は、上記態様１〜４の何れかにおいて、上記第２撮影装置からピント位置までの距離が、過焦点距離に設定されていることが好ましい。上記構成によれば、第２撮影装置で撮影する際のピンボケを回避することができる範囲を最大限広くすることができる。
【００５８】
本発明の態様６に係る電子機器（１０）の制御装置（３）は、自動焦点調整機能を有する少なくとも１つの第１撮影装置（自動焦点カメラ１）と、固定焦点を有する少なくとも１つの第２撮影装置（固定焦点カメラ２）とを備える電子機器の制御装置であって、被写体と上記電子機器との間の撮影距離を特定する距離特定部（３１）と、特定された上記撮影距離に応じて、上記第１撮影装置および上記第２撮影装置の何れの装置を用いて撮影を行うかを決定する撮影装置決定部（３２）とを備える構成である。上記構成によれば、上記態様１と同様の効果を得ることができる。
【００５９】
本発明の態様７に係る電子機器の制御方法は、自動焦点調整機能を有する少なくとも１つの第１撮影装置と、固定焦点を有する少なくとも１つの第２撮影装置とを備える電子機器の制御方法であって、被写体と上記電子機器との間の撮影距離を特定する距離特定ステップと、特定された上記撮影距離に応じて、上記第１撮影装置および上記第２撮影装置の何れの装置を用いて撮影を行うかを決定する撮影装置決定ステップとを含む方法である。上記方法によれば、上記態様１と同様の効果を得ることができる。
【００６０】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００６１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１  自動焦点カメラ（第１撮影装置）
２  固定焦点カメラ（第２撮影装置）
３  制御装置
４  距離センサ（測距センサ）
５  モータードライバ
６  選択装置
７  ピントズレ検出装置
８  画像処理装置
９  記憶装置
１０  電子機器
１１  表示装置
１２  入力受付装置
【図１】
2019203929.tif 000003
【図２】
2019203929.tif 000004
【図３】
2019203929.tif 000005
【図４】
2019203929.tif 000006
【図５】
2019203929.tif 000007
【図６】
2019203929.tif 000008